(57)【要約】【課題】  汎用性を向上させてコストの低廉化を図ることのできるフレキシブルプリント配線板を提供する。【解決手段】  所定の接点もしくは端子５，６，７に対応して回路２が形成されているフレキシブルプリント配線板１であって、所定の一つの接点もしくは端子５，６，７に対して複数の回路２が形成されるとともに、各回路２の途中に、該回路２を切断する易破断部８が形成され、いずれか一つの易破断部８を残して他の易破断部８を破断することにより、前記所定の一つの接点もしくは端子に導通する回路２を選択するように構成されている。【選択図】  図１
2006286801.tif 000002
【特許請求の範囲】
【請求項１】
所定の接点もしくは端子に対応して回路が形成されているフレキシブルプリント配線板であって、
所定の一つの接点もしくは端子に対して複数の回路が形成されるとともに、各回路の途中に、該回路を切断する易破断部が形成され、いずれか一つの易破断部を残して他の易破断部を破断することにより、前記所定の一つの接点もしくは端子に導通する回路を選択するように構成されていることを特徴とするフレキシブルプリント配線板。
【請求項２】
前記易破断部は、前記回路を形成している導体を避けて線状に配列された複数の孔、切り込み、もしくは切り欠きからなることを特徴とする請求項１に記載のフレキシブルプリント配線板。
【発明の詳細な説明】
【技術分野】
【０００１】
この発明は、フレキシブルプリント配線板に関し、特に汎用性に優れたフレキシブルプリント配線板に関するものである。
【背景技術】
【０００２】
周知のように、フレキシブルプリント配線板（ＦＰＣ）は可撓性のシート材に、可撓性の導体によって回路を形成したものであり、その一例が特許文献１に記載されている。この特許文献１に記載されたフレキシブルプリント配線板は、第１領域と、該第１領域と隣り合いかつ光源が配置された第２領域と、第１領域を介して第２領域と対向配置された第３領域とを有するフレキシブルプリント配線板であって、フレキシブルプリント配線板は、第１領域に線状に配列された複数の孔、切り込み、または切り欠きを有することを特徴とし、切断が容易となり、作業効率が向上するように構成されたものである。
【特許文献１】特開２００４−１３３１０８号公報
【発明の開示】
【発明が解決しようとする課題】
【０００３】
しかしながら、上記の特許文献１に記載された構成を含む従来のフレキシブルプリント配線板は、これが組み込まれる装置に併せて設計され、製造されるのが一般的であり、そのために組み込まれる装置の構成あるいは仕様が変更された場合には、フレキシブルプリント配線板を新たに設計・製造する必要があり、コストの上昇要因になっている。また、上記の特許文献１に記載されたフレキシブルプリント配線板は、ＬＥＤの位置ずれを回避することを目的としたものであって、各領域における回路の配置が特定されていないため、第１領域に形成された複数の孔、切り込み、または切り欠きに沿って切断が行われたとしても、回路を選択的に形成することができない。そのため、各領域ごとに選択される回路が異なれば、別の回路として各領域を形成することが必要となる。そのため、コストのアップに繋がるおそれがあった。
【０００４】
この発明は上記の技術的課題に着目してなされたものであり、汎用性を向上させてコストの低減化を図ることのできるフレキシブルプリント配線板を提供することを目的とするものである。
【課題を解決するための手段】
【０００５】
上記の目的を達成するために、請求項１の発明は、所定の接点もしくは端子に対応して回路が形成されているフレキシブルプリント配線板であって、所定の一つの接点もしくは端子に対して複数の回路が形成されるとともに、各回路の途中に、該回路を切断する易破断部が形成され、いずれか一つの易破断部を残して他の易破断部を破断することにより、前記所定の一つの接点もしくは端子に導通する回路を選択するように構成されていることを特徴とするフレキシブルプリント配線板である。
【０００６】
また、請求項２の発明は、請求項１における前記易破断部が、前記回路を形成している導体を避けて線状に配列された複数の孔、切り込み、もしくは切り欠きからなることを特徴とするフレキシブルプリント配線板である。
【発明の効果】
【０００７】
請求項１の発明によれば、フレキシブルプリント配線板には、所定の一つの接点もしくは端子に対する各回路には、容易に破断できる易破断部が形成されているので、いずれか一つの易破断部を残して他の易破断部を破断すれば、所定の一つの接点もしくは端子に対して一つの回路が導通した状態となる。すなわち、所定の一つの接点もしくは端子に対して使用する回路が選択される。そして、このようにして選択される回路が複数あるので、用途に応じて回路を選択することにより、一つのフレキシブルプリント配線板が複数の電気機器に使用可能になり、フレキシブルプリント配線板の汎用性の向上によりコストを低廉化できる。
【０００８】
また、請求項２の発明によれば、易破断部がいわゆるミシン目に類似した構成であるから、フレキシブルプリント配線板の部分的な破断が容易となり、ひいては、フレキシブルプリント配線板を組み込む電気機器の製造ラインでの組み付け性が向上する。
【発明を実施するための最良の形態】
【０００９】
以下、本発明を実施した最良の形態について説明する。この発明の構造は、フレキシブルプリント配線板の表面上に複数の回路が形成された構造である。具体的には、図１に示すように、フレキシブルプリント配線板１の表面は十字状に形成されており、その表面上の電子回路（回路）２には、スイッチ部（ＳＷ）３，４と、複数の端子（もしくは接点）５，６，７とが形成されている。スイッチ部（ＳＷ）３，４と各端子５，６，７とは所定の回路を介して電気的に接続されている。フレキシブルプリント配線板１の図１で左右に突出している袖状の部分には、この部分における回路２を避けた箇所に切断可能な易破断部８が形成されている。この易破断部８は、一例として小径の多数の孔９を直線状に配列して形成されたものであって、その孔９は回路２を形成している導体を避けた位置に設けられている。したがって、各孔９を通る切断線（二点鎖線）Ｙ１に沿うフレキシブルプリント配線板１の右端の袖状の部分（右端袖状部分）１２が切り離された場合には、図２に示すように、フレキシブルプリント配線板１の左端の袖状の部分（左端袖状部分）１４が残り、一方各孔９を通る切断線（二点鎖線）Ｙ２に沿う左端袖状部分１４が切り離された場合には、図３に示すように、右端袖状部分１２が残る。すなわち、この易破断部８でフレキシブルプリント配線板１の一部を破断すると、回路２がその部分で切断されるようになっている。
【００１０】
つぎにこの発明のフレキシブルプリント配線板の作用について説明する。上述したように切断線Ｙ１もしくは切断線Ｙ２に沿うようにフレキシブルプリント配線板１を切ることにより、切断線Ｙ１もしくは切断線Ｙ２から右端袖状部分１２もしくは左端袖状部分１４が切り離される。したがって、全回路２の右半分の一部分（右半部分）１５もしくは左半分の一部分（左半部分）１６も同様に切り離されるので、図４に示す回路の仕様に基づいて、それぞれ残った回路（回路２Ａ，２Ｂ）が選択されることになる。すなわち、右半部分１５が切り離されて、左半部分１６が残った場合には、各端子５，６間の回路２Ａがスイッチ部３を介して電気的に接続され、各端子６，７間の回路がスイッチ部４を介して電気的に接続される。また、左半部分１６が切り離されて、右半部分１５が残った場合には、各端子５，６間の回路２Ｂがスイッチ部４を介して電気的に接続され、各端子６，７間の回路２Ｂがスイッチ部３を介して電気的に接続される。すなわち、各端子５，６，７についての使用する回路２が、いずれかの易破断部８を破断することにより選択される。
【００１１】
つぎに、フレキシブルプリント配線板１の切り離しの前後の回路２の導通状態の変化について説明する。図２および図３に示す右端袖状部分１２もしくは左端袖状部分１４の切り離し前後において、回路２に電源が供給されて各スイッチ部３，４のオン・オフの切り換えが行われると、回路２の接続状態が変化する。
【００１２】
右端袖状部分１２および左端袖状部分１４が切り離される前に回路２に電源が供給され、スイッチ部３，４を共にオフにした場合には、各端子５，７間の回路２が導通し、各端子５，６間および各端子６，７間の各回路２が遮断される。スイッチ部３をオンにし、スイッチ部４をオフにした場合には、各端子５，６間および各端子６，７間の各回路２が導通し、またスイッチ部３をオフにし、スイッチ部４をオンにした場合にも、各端子５，６間および各端子６，７間の各回路２が導通する。したがって、右端袖状部分１２および左端袖状部分１４が切り離される前にスイッチ部３，４のいずれか一方のスイッチの切り換えを行った場合には、各端子５，６間および各端子６，７間の各回路２が遮断状態から導通状態に変化することになる。
【００１３】
右端袖状部分１２が切り離されて残った回路２Ａに電源が供給され、スイッチ部３，４を共にオフにした場合には、各端子５，６間および各端子５，７間の回路２が遮断されたまま、各端子５，７間の各回路２Ａが導通する。したがって、右端袖状部分１２および左端袖状部分１４が切り離される前にスイッチ部３，４を共にオフにした場合には、右端袖状部分１２が切り離される前と比較して各端子５，７間の回路２が導通状態から遮断状態に変化することになる。また、前記回路２Ａに電源が供給され、スイッチ部３をオンにし、スイッチ部４をオフにした場合には、各端子５，６間の回路２Ａが導通されたまま、各端子５，７間および各端子６，７間の各回路２Ａが遮断される。したがって、右端袖状部分１２が切り離され、スイッチ部３をオンにし、スイッチ部４をオフにした場合には、右端袖状部分１２が切り離される前と比較して各端子５，７間および各端子６，７間の各回路２Ａが導通状態から遮断状態に変化することになる。さらに、前記回路２Ａに電源が供給され、スイッチ部３をオフにし、スイッチ部４をオンにした場合には、各端子６，７間の各回路２Ａが導通したまま、各端子５，６間および各端子５，７間の各回路２Ａが遮断される。したがって、右端袖状部分１２が切り離され、スイッチ部３をオフにし、スイッチ部４をオンにした場合には、右端袖状部分１２が切り離される前と比較して、各端子５，６間および各端子５，７間の各回路２Ａが導通状態から遮断状態に変化することになる。
【００１４】
左端袖状部分１４が切り離されて残った回路２Ｂに電源が供給され、スイッチ部３，４を共にオフにした場合には、各端子５，６間および各端子６，７間の各回路２Ｂが遮断されたまま、各端子５，７間の回路２Ｂが遮断される。したがって、左端袖状部分１４が切り離され、スイッチ部３，４を共にオフにした場合には、左端袖状部分１４が切り離される前と比較して各端子５，７間の回路２Ｂが導通状態から遮断状態に変化することになる。また、前記回路２Ｂに電源が供給され、スイッチ部３をオンにし、スイッチ部４をオフにした場合には、各端子６，７間の各回路２Ｂが導通されたまま、各端子５，６間および各端子５，７間の各回路２Ｂが遮断される。したがって、左端袖状部分１４が切り離され、スイッチ部３をオンにし、スイッチ部４をオフにした場合には、左端袖状部分１４が切り離される前と比較して各端子５，６間および各端子５，７間の各回路２Ｂが導通状態から遮断状態に変化することになる。さらに、前記回路２Ｂに電源が供給され、スイッチ部３をオフにし、スイッチ部４をオンにした場合には、各端子５，６間の回路２Ｂが導通されたまま、各端子５，７間および各端子６，７間の各回路２Ｂが遮断される。したがって、左端袖状部分１４が切り離され、スイッチ部３をオフにし、スイッチ部４をオンにした場合には、左端袖状部分１４が切り離される前と比較して各端子５，７間および各端子６，７間の各回路２Ｂが導通状態から遮断状態に変化することになる。
【００１５】
上述したように単一のフレキシブルプリント配線板１から、右端袖状部分１２もしくは左端袖状部分１４を切断線Ｙ１もしくは切断線Ｙ２から切り離すことにより、全回路２から各回路２Ａ，２Ｂが選択される。そのため、コストの低減および部品の共通化を図ることができる。なお、右端袖状部分１２もしくは左端袖状部分１４には、図５に示すようなスイッチング回路（メタルドームなど）１７が形成されていてもよく、各孔９が切断線（破線）Ｙ３，Ｙ４と、それらの各切断線Ｙ３，Ｙ４に対してほぼ垂直な切断線（破線）Ｘとに沿って形成されていてもよい。この構成により、右端袖状部分１２もしくは左端袖状部分１４をオプションとして使用することができる。
【００１６】
なお、上記具体例では、フレキシブルプリント配線板の切断可能な部分が孔９によって形成されているが、この発明のフレキシブルプリント配線板はこの具体例に限定されない。要は、フレキシブルプリント配線板の一部に切断可能な部分が形成されていればよい。例えば、その切断可能な部分は、切り込みもしくは切り欠きが形成されていてもよく、その他ハサミなどの刃物を用いて切断されてもよい。
【図面の簡単な説明】
【００１７】
【図１】この発明におけるフレキシブルプリント配線板の一具体例を示す平面図である。
【図２】図１の右端袖状部分を切り離した状態を示す平面図である。
【図３】図１の左端袖状部分を切り離した状態を示す平面図である。
【図４】図２および図３における各回路の仕様状況を説明する図である。
【図５】この発明におけるフレキシブルプリント配線板の他の具体例を示す平面図である。
【符号の説明】
【００１８】
１…フレキシブルプリント配線板、  ２…回路、  ２Ａ…回路、  ２Ｂ…回路、  ５，６，７…端子、  ８…易破断部、  １２…右端袖状部分、  １４…左端袖状部分、  １５…右半部分、  １６…左半部分。
【図１】
2006286801.tif 000003
【図２】
2006286801.tif 000004
【図３】
2006286801.tif 000005
【図４】
2006286801.tif 000006
【図５】
2006286801.tif 000007